【事件の表示】
　平成６年特許願第３７２２７号「ハロゲン化銀写真感光材料の処理方法」拒絶査定不服審判事件〔平成７年９月２６日出願公開、特開平７−２４８５８８〕について、次のとおり審決する。
【結　論】
　本件審判の請求は、成り立たない。
【理　由】
１．手続の経緯・本願発明
　本願は、平成６年３月８日の出願であって、その請求項１ないし７に係る発明は、平成１３年１２月３日付け及び平成１７年４月１１日付けの手続補正書によって補正された明細書の記載からみて、その特許請求の範囲の請求項１ないし７に記載されたとおりのものであり、請求項２に係る発明は次のとおりのものと認める。
「支持体上に少なくとも1層のハロゲン化銀乳剤層を有するハロゲン化銀写真感光材料を露光後、下記の(１)、(２)、(３)及び（４）の条件下で処理することを特徴とするハロゲン化銀写真感光材料の処理方法。
(１)現像液補充量が感光材料１ｍ２当たり２５０ml以下であること
(２)定着液補充量が感光材料１ｍ２当たり３５０ml以下であること
(３)９０℃以上の伝熱体で乾燥するゾーンを有する自動現像機で処理すること。
(４)前記現像液が下記一般式〔２〕で表される化合物の少なくとも１種を含有すること。
【化１】
式中、Ａ１およびＡ２は互いに独立して脂肪族基、脂環式基、芳香族基、芳香脂肪族基又は５〜６員の複素環基を表す。Ｂ１及びＢ２は互いに独立してそれぞれ式−ＣＯＯＭ３、−ＳＯ３Ｍ４、−ＣＯＮ(Ｘ)(Ｙ)、−Ｓ−Ｚ、−ＳＯ２Ｎ(Ｘ)(Ｙ)基を表す。ｍ１及びｍ２はそれぞれ１、２又は３を表し、ｎは１又は２を表す。Ｍ３、Ｍ４は１価の陽イオンで、Ｘ及びＹはそれぞれ水素原子、ヒドロキシ基、カルボン酸基もしくはスルホン酸基によって置換されてもよい炭素数１〜８のアルキル基、又はアリール基を表し、ＺはＸ及びＹと同義で、但し水素原子になることはない。」（以下「本願請求項２に係る発明」という。）
　
２．引用刊行物記載の発明
　当審における拒絶の理由に引用された、刊行物１、２、５及び６には下記の事項がそれぞれ記載されている。
（刊行物１：特開平４−２９２３３号公報の記載事項）
（１）「ゼラチン塗布量が支持体上の両面とも２．２０ｇ／ｍ２以下であり、かつハロゲンか銀の平均粒子サイズが０．４μ以下であるハロゲン化銀写真感光材料を次の一般式（Ｉ）、一般式(II)、一般式(III)または一般式(IV)で表される少なくとも１種を含有する水溶性アルカリ現像液で処理するハロゲン化銀写真感光材料の処理方法。
　・・・・・・（I)
　式中Xは水素原子・・・Ｍ１とＭ２はそれぞれ同じであっても異なつてもよく水素原子、アルカリ金属原子またはアンモニウム基を表す。
・・・・・・(II)
　[式中、Ｂ１およびＤ１は互いに独立して脂肪族基、脂環式基、芳香脂肪族基、芳香族基または複素環式５員環または６員環（この環は更に縮合していてもよく、窒素原子１〜３個および酸素原子１個またはいおう原子１個を含有しているものとする）、ｍ１及びｎ１はそれぞれ１、２および３の数であり、ｐは１または２であり、Ａ２およびＥ２は互いに独立してそれぞれ式
−ＣＯ−Ｏ−Ｍ、−ＳＯ２−Ｏ−Ｍ、−ＳＯ２−Ｎ(Ｘ)(Ｙ)、−Ｓ−Ｚおよび−ＣＯ−Ｎ(Ｘ)(Ｙ)
（これらの式においてＸおよびＹはそれぞれ水素原子またはヒドロキシル基、カルボン酸基もしくはスルホン酸基によって置換されてもよい炭素数最大８個のアルキル基であり、Ｙは更にフェニルスルホン酸基、低級アルキルスルホニル基またはフェニルスルホニル基であってもよく、Ｍは１価陽イオンであり、ＺはＸおよびＹと同じ意味であるがただし水素原子ではないものとする）であらわされる基である。ただし、−ＣＯ−Ｏ−Ｍであらわされる基であるとき、前記の相当するＢ１およびＤ１はα−アミノ基をもたないものとする。]・・・（式（III)、(IV)省略）」（特許請求の範囲第１項） 
（２）「ハロゲン化銀写真感光材料１ｍ２当たり現像液を２００ｍｌ以下の割合で補充しながら自動現像機で処理する請求項１に記載の処理方法。」（特許請求の範囲第２項）
（３）「現像、定着、水洗、乾燥の全処理時間が６０秒以下である自動現像機による請求項１に記載の処理方法。」（特許請求の範囲第３項）
（４）「本発明の目的は・・・少ない補充液量で現像処理を可能とすること・・・迅速に現像処理する方法を提供することにある。」（第２頁右下欄第７行目〜第１１行目）
（５）「ハロゲン化銀乳剤層は単層であってもよいし、また重層（２層、３層など）であってもよい。」（第７頁右上欄第１３行目から第１５行目）
（６）「現像補充液量を感光材料１ｍ２あたり２００ｍｌ以下、特に５０〜２００ｍｌの範囲に低減させることができる。」（第１４頁左上欄第１行目〜第３行目）
（７）「定着剤としてはチオ硫酸ナトリウム、チオ硫酸アンモニウムなどがあるが定着速度の点からチオ硫酸アンモニウムが特に好ましい。・・・定着液には硬膜剤として作用する水溶性アルミニウム塩を含んでもよく」（第１４頁左上欄第１０行目〜第１６行目） 
（８）「通常自現機には、３５℃〜１００℃・・・の熱風が吹きつけられる乾燥ゾーンが設置されており」（第１５頁右上欄第８行目〜第１１行目） 
（９）「乾燥は約４０℃〜約１００℃で行われ、乾燥時間は周囲の状態によって適宜変えられるが、通常は約５秒〜３分でよく」（第１５頁左下欄第７行目〜第９行目）
（１０）「得られた試料を・・・露光し・・・現像液W、X、Y、Z及び定着液として・・・を用い」（第１７頁右上欄下から３行目から右下欄第３行目）
（１１）「定着液の補充量は３００ｍｌ／ｍ２とした。」（第１７頁左下欄第７行目〜第８行目）
　
（刊行物１記載の発明）
 　以上の記載事項から、刊行物１には以下の発明が記載されている。 
 「支持体上に少なくとも１層のハロゲン化銀乳剤層を有し、支持体の両側ともゼラチン塗布量が２．２０ｇ／ｍ２以下のハロゲン化銀写真感光材料を露光後、一般式（II）の化合物を含有した現像液で現像液補充量が感光材料１ｍ２当たり２００ｍｌ以下、定着液補充量が感光材料１ｍ２当たり３００ｍｌで処理し、４０〜１００℃の熱風が吹きつけられる乾燥ゾーンを有する自動現像機で処理するハロゲン化銀写真感光材料の処理方法。」（以下、「刊行物１記載の発明」という。） 
　
（刊行物２：特開平５−１７３２７９号公報の記載事項）
（１）「９０℃以上の伝熱体または１５０℃以上の輻射物体で乾燥するゾーンを有する自動現像機で処理するハロゲン化銀写真感光材料・・・・。」（【請求項１】） 
（２）「本発明は速く乾かすために伝熱体・・・を利用して乾燥するゾーンを有する」（【０００３】
（３）「本発明に用いられる９０℃以上の伝熱体としてはヒートローラーが例として挙げられる。」（【０００５】）
（４）「(3)乾燥性（Dry to Dry３０秒処理）　○：乾いている」（【００３６】）
（５）「＜現像液＞パーツ剤A・・・１−（Ｎ，Ｎ−ジエチルアミノ）エチル−５−メルカプトテトラゾール・・・パーツ剤B・・・パーツ剤C・・・＜定着液＞・・・ｐH４．６８」（【００３７】） 
（６）「これらの各処理剤を下記の割合で自動現像機の現像槽、定着槽に・・・満たした。・・・感材が四切サイズ換算で８枚処理される毎にも・・・補充した。現像液　パーツ剤Ａ６０ｍｌ　パーツ剤Ｂ１３．４ｍｌ　パーツ剤Ｃ１０ｍｌ　水１１６．６ｍｌ　ｐＨ１０．５０　　定着液　濃縮液８０ｍｌ　水１２０ｍｌ　ｐＨ４．６２」（【００４１】【００４２】） 
（５）「乾燥部にヒートローラーを１００℃で用いて乾燥させた。」（【００５７】
（６）表１、２、３には、（本発明）である試料の乾燥性が「○」であることが記載されている。（【００４３】【００５８】【００７４】）
　
（刊行物５：特開平４−１７４８４２号公報の記載事項） 
（１）「迅速処理にするほど、また定着液の補充量を減少させるほど、定着工程における定着性が低下し、感材中に処理液のチオ硫酸塩が多く残留することになり画像の保存性が低下しやすくなる。また感材に添加されている増感色素が十分に溶出しなくなり、処理後の感材に不要な着色（残色）を残すことになる。」（第２頁右上欄第３行目〜第９行目） 
（２）「定着液の・・・ｐＨを４．６以上とする。・・・定着液における硬膜作用が弱まるか、無くなるため、迅速処理としても、定着や水洗等の処理が促進され、処理後の画像の保存性が改良され・・・しかし・・・硬膜作用の低下により、乾燥負荷が大きくなるという欠点もあるが・・・温風が・・・十分な乾燥を行うことができる。」（第３頁左下欄第１１行目〜右下欄第８行目） 
（３）「定着液における硬膜作用が弱まるため・・・乾燥負荷が増大するが・・・後に詳述するような乾燥方法を採用しているため、効率の良い乾燥を行うことができ乾燥不良を生じることはない。」（第４頁右下欄第２行目〜第７行目） 
（４）「定着補充液の補充量は、感光材料１ｍ２当たり・・・０．３ｌ以下が好ましい。」（第１１頁左下欄第１３行目〜第１５行目） 
　
（刊行物６：特開平５−２６５１４６号公報 の記載事項） 
（１）「迅速処理にするほど、また定着液の補充用を減少させるほど・・・未露光部のハロゲン化銀が充分に脱銀されなかったり、感材中に処理液のチオ硫酸塩が多く残留して、画像の保存性が低下しやすくなる。」（【０００５】） 
（２）「ｐＨが４．６以上となるような定着液を用いて処理する・・・しかし・・・定着液による硬膜作用が低下するため、今度は乾燥負荷が大きくなり、乾燥不良が生じやすくなる。」（【０００８】【０００９】） 
（３）「定着液による硬膜作用が弱まるため・・・乾燥負荷が増大するが・・・前述のような乾燥方法を採用しているために、効率の良い乾燥を行うことができ、乾燥不良を生じることはなく」（【０１３２】） 
　
３．対比
　本願請求項２に係る発明と刊行物１記載の発明とを比較する。 
（ア）刊行物１記載の発明の一般式（II）化合物は、本願請求項２に係る発明の一般式［２］の化合物に該当する。 
（イ）刊行物１記載の発明の定着液補充量が３００ｍｌ／ｍ２は、本願請求項１に係る発明の定着液補充量「感光材料１ｍ２当たり３５０ｍｌ以下」の範囲に含まれるものである。
　以上のことから、本願請求項２に係る発明と刊行物１記載の発明との間には、以下の一致点及び相違点がある。 
（一致点） 
　支持体上に少なくとも１層のハロゲン化銀乳剤層を有する、ハロゲン化銀写真感光材料を露光後、一般式［２］の化合物を含有した現像液で現像液補充量が感光材料１ｍ２当たり２５０ｍｌ以下、定着液補充量が感光材料１ｍ２当たり３５０ｍｌ以下で処理し、乾燥ゾーンを有する自動現像機で処理するハロゲン化銀写真感光材料の処理方法である点。 
（相違点） 
　乾燥ゾーンが、本願請求項１に係る発明では、９０℃以上の伝熱体で乾燥するものであるのに対して、刊行物１記載の発明では、４０℃〜１００℃の熱風を吹きつけるものである点。
　
４．判断
（相違点について） 
　刊行物２には、ハロゲン化銀写真感光材料を短時間で乾燥させるために「９０℃以上の伝熱体で乾燥する」ことが記載されている。そして、刊行物２に記載された処理方法は、迅速処理で、処理液の補充量は、【００４１】〜
【００４２】の記載から感材１ｍ２あたりの補充量を計算すると現像液、定着液ともに３３３ｍｌ／ｍ２となり、低補充による処理といえるものであり、低補充で迅速処理である点で一致する刊行物１記載の発明において、刊行物２に記載された乾燥方法を適用することを阻害するものはない。
　したがって、刊行物１記載の発明において、刊行物２に記載された９０℃以上の伝熱体で乾燥する方法を採用することは当業者が容易になし得たものといえる。
　
（本願発明の効果について）
　本願発明で乾燥性が「○」、つまり、試料が乾いているという効果は、刊行物２に、９０℃以上の伝熱体を用いて全処理時間３０秒で乾燥性が「○：乾いている。」ことが記載されていることから、予測されるものである。
　次に、処理後の画像の保存による変退色、カブリ濃度変化が少ないことについて検討する。
　刊行物５、６に記載されるように、低補充、迅速処理では、画像の保存性を低下させる定着液のチオ硫酸塩の残留が問題であるため、定着液のｐＨを４．６以上として定着液の硬膜作用を弱め、チオ硫酸塩の残留を少なくすることは周知技術である。そこで、本願請求項１に係る発明をみると、定着液のｐH等を規定していないが、本願明細書の実施例１〜４は、定着液のｐHは、６．０及び４．９といずれも硬膜作用が弱められたものであるから、チオ硫酸塩の残留が少なくなっているといえる。
　そして、上記のとおり、低補充、迅速処理では、画像の保存性の悪化が問題であることは周知であることから、このような処理方法において、画像の保存性を確認してみることは、当業者であれば当然行うことといえ、その際保存性の評価を保存後の変退色及びカブリ濃度変化で行うことが困難であるともいえない。そして、上記のとおりチオ硫酸塩の残存が少なく、画像の保存性が改善された条件の本願明細書の実施例において確認された、画像の保存による変退色、かぶり濃度変化が少ないという効果が格別に顕著なものであるともいえない。
　
 ５．むすび
　以上のとおり、本願請求項２に係る発明は、引用刊行物１、２、５及び６に記載された発明に基づいて当業者が容易に発明をすることができたものであるから、特許法第２９条第２項の規定により特許を受けることができない。
　したがって、請求項１及び３ないし７についての判断を示すまでもなく、本願は拒絶すべきものである。
　よって、結論のとおり審決する。